(57)【要約】【課題】信号源からの映像信号の映像内容と当該信号源の状態を複数のウィンドウで表示する表示装置信号源の選択方法を提供する。【解決手段】本発明は各入力端子及び受信可能なチャネル等の信号源からの映像信号の映像内容と当該信号源の状態をプレビューし、正しい信号源を迅速に選択することができる表示装置信号源の選択方法を提供し、この方法は、複数のウィンドウを表示装置上における選択メニューに配置する工程と、複数の信号源からの映像信号の映像内容を複数のウィンドウに表示する工程と、複数の信号源のいずれかを選択する工程とを有する。【選択図】図３
2006293321.tif 000002
【特許請求の範囲】
【請求項１】
表示装置に複数の映像信号を入力する複数の信号源を選択する方法であって、
前記表示装置の画面上における選択メニューに複数のウィンドウを配置する第一の工程と、
前記複数の信号源からの映像信号の映像内容を前記複数のウィンドウにそれぞれ表示する第二の工程と、
前記複数のウィンドウに表示されている映像内容に基づいて前記複数の信号源のいずれかを選択する第三の工程と、
を有する、
表示装置信号源の選択方法。
【請求項２】
前記信号源は、前記表示装置の入力端子と前記表示装置が受信可能なチャネルを含む、
請求項１に記載の表示装置信号源の選択方法。
【請求項３】
前記信号源からの映像信号の映像内容は、静止画及び動画を含む、
請求項１に記載の表示装置信号源の選択方法。
【請求項４】
前記複数のウィンドウに前記複数の信号源の状態を表示する工程を更に含む、
請求項１に記載の表示装置信号源の選択方法。
【請求項５】
前記複数の信号源の状態は、信号有無状態、接続状態、入力装置故障状態及びオン／オフ状態を含む、
請求項４に記載の表示装置信号源の選択方法。
【請求項６】
前記複数の信号源をオフ状態に設定する工程と、
前記複数の信号源を選択するときに、オフ状態の前記信号源を自動的にスキップする工程と、
を更に含む、
請求項５に記載の表示装置信号源の選択方法。
【請求項７】
前記複数の信号源を選択するときに、信号のない状態、接続されていない状態、接続故障状態、入力装置故障状態及びオフ状態のうち、少なくとも一つの状態にある信号源を自動的にスキップする工程を更に含み、
請求項５に記載の表示装置信号源の選択方法。
【請求項８】
前記第三の工程において、所定の信号源を表示するウィンドウにカーソルを移動して、前記所定の信号源を選択する、
請求項１に記載の表示装置信号源の選択方法。
【請求項９】
前記カーソルは、前記複数のウィンドウにおいて、上下または左右に移動する、
請求項８に記載の表示装置信号源の選択方法。
【請求項１０】
前記カーソルは、上下、または、左右の一列の前記複数のウィンドウにおいて、一端のウィンドウから次のウィンドウに順次に移動し、他端のウィンドウに移動した後は、前記一端のウィンドウに戻る、
請求項９に記載の表示装置信号源の選択方法。
【請求項１１】
前記選択メニューは、複数の表示区域を含み、前記複数の信号源は、当該複数の表示区域の一つの表示区域に表示される、
請求項１に記載の表示装置信号源の選択方法。
【請求項１２】
前記選択メニューは、複数の表示区域を含み、前記複数の信号源は、当該複数の表示区域に表示される、
請求項１に記載の表示装置信号源の選択方法。
【請求項１３】
前記複数の表示区域には、一つのメーン表示区域と複数のサブ表示区域を含み、
前記メーン表示区域と複数のサブ表示区域は、それぞれ複数の前記ウィンドウを含み、
前記メーン表示区域に含まれる複数の前記ウィンドウは、それぞれ複数の前記サブ表示区域に対応し、
前記メーン表示区域に含まれる各々の前記ウィンドウは、当該各々の前記ウィンドウが対応する前記サブ表示区域に含まれる前記信号源からの映像信号の映像内容を表示し、
前記メーン表示区域に含まれる複数の前記ウィンドウのうち、所定のウィンドウを選択する場合、当該所定のウィンドウが対応する複数の前記サブ表示区域の所定のサブ表示区域に進み、当該所定のサブ表示区域における所定の信号源を選択する、
請求項１２に記載の表示装置信号源の選択方法。
【請求項１４】
前記複数のウィンドウの各々は、前記複数の信号源の一つの信号源からの映像信号の映像内容を表示する、
請求項１に記載の表示装置信号源の選択方法。
【請求項１５】
前記複数のウィンドウの各々は、前記複数の信号源のうち、少なくとも二つの信号源からの映像信号の映像内容を表示する、
請求項１に記載の表示装置信号源の選択方法。
【請求項１６】
前記複数のウィンドウの各々は、前記複数の信号源からの映像信号の映像内容をウィンドウ分割で同時に表示する、
請求項１５に記載の表示装置信号源の選択方法。
【請求項１７】
前記複数のウィンドウの各々は、前記複数の信号源からの映像信号の映像内容を時間分割で表示する、
請求項１５に記載の表示装置信号源の選択方法。
【請求項１８】
前記選択メニューは、前記表示装置のオン・スクリーン・ディスプレ（On-screen  Display：OSD）の一部である、
請求項１に記載の表示装置信号源の選択方法。
【発明の詳細な説明】
【技術分野】
【０００１】
本発明は、表示装置信号源の選択方法に関し、特に、信号源の状態と、信号源からの映像信号の映像内容とを複数のウィンドウで表示する表示装置信号源の選択方法に関する。
【背景技術】
【０００２】
近年、従来的なアナログテレビは、デジタルテレビに取り替えられつつある。複雑且つ多様な機能及び映像規格に対応するために、新たなデジタルテレビは、数多くの入力端子を有する。今のテレビにおいて、通常、図１に示されるような選択メニューが、オン・スクリーン・ディスプレ（On-screen  Display：OSD）に表示され、どちらの入力端子からの映像信号を表示するかはユーザにより選択される。
【０００３】
図１のテレビは上から下まで十個の入力端子を有し、この十個の入力端子は上から順に、アナログテレビ、デジタルテレビ、第一のコンポーネント、第二のコンポーネント、第一のHDMI（High  Definition  Multimedia  Interface  １：HDMI  １）、第二のHDMI、複合端子、第一のS端子（Separate  Video  １：S-Video  １）、第二のS端子及びコンピュータである。ユーザは、カーソル１０２を上下に移動することにより入力端子を選択する。なお、図１に示されるカーソル１０２は、デジタルテレビの位置に位置する。
【０００４】
また、入力端子を選択するには、前述の選択メニューの他に、テレビのリモート・コントロール（Remote  Control）のボタンを入力端子の選択に使える。この場合、簡単な方法としては、一つのボタンで入力端子を順次切り替えることである。新型なテレビは、複数のボタンを備え、異なる種類の入力端子を切り替える。例えば、TVボタンは、通常のテレビ信号を選択し、HDMIボタンは、複数のHDMI入力端子を切り替え、PCボタンは、コンピュータを選択するに用いられる。
【０００５】
しかし、前述の選択方法には欠点がある。まず、各入力端子からの映像信号の映像内容をプレビューできないので、ときには入力端子を逐次切り替えなければ、所望のチャンネルを見つけない。次に、数多くの入力端子を有する場合、入力端子を探すのに時間がかかる。ゆえに、テレビの入力端子が増えるにつれて、このような問題は解決すべきである。
【発明の開示】
【発明が解決しようとする課題】
【０００６】
本発明の目的は、各入力端子及びチャネルを含む信号源からの映像信号の映像内容と当該信号源の状態をプレビューし、正しい信号源を迅速に選択する表示装置信号源の選択方法を提供することにある。
【０００７】
本発明の他の目的は、表示装置のリモート・コントロールのボタンの数を減少し、表示装置のリモート・コントロールが軽く、薄く、小さく、より使用しやすい表示装置信号源の選択方法を提供することにある。
【課題を解決するための手段】
【０００８】
前述の目的を達成するために、本発明は、表示装置画面上における選択メニューに複数のウィンドウを配置する工程と、表示装置の複数の信号源からの映像信号の映像内容を前述の複数のウィンドウに表示する工程と、前述の信号源のいずれかを選択する工程とを含む表示装置信号源の選択方法を提供する。
【０００９】
一実施形態において、信号源の種類は、表示装置の入力端子と受信できるチャネルを含む。
【００１０】
一実施形態において、信号源からの映像信号の映像内容は、静止画と動画を含む。
【００１１】
一実施形態において、ウィンドウを用い、信号源の状態を表示する。この状態は、信号有無状態、接続状態、入力装置故障状態及びオン／オフ状態を含む。
【００１２】
一実施形態において、信号源をオフ状態に設定し、信号源を選択する際にオフ状態にある信号源を自動的にスキップする。
【００１３】
一実施形態において、信号源を選択する際に、信号のない状態、接続されていない状態、接続故障状態、入力装置故障状態及びオフ状態のうち、少なくとも一つの状態にある信号源を自動的にスキップする。
【００１４】
一実施形態において、カーソルを、信号源を表示するウィンドウに移動し、この信号源を選択する。
【発明の効果】
【００１５】
本発明の方法により、各入力端子とチャネル等の信号源からの映像信号の映像内容と信号源の状態を複数のウィンドウで表示するので、ユーザは、信号源を選択する前に映像信号の映像内容と状態をプレビューし、また、信号源を選択する際に信号のない状態或いはオフ状態などの特定の状態にある信号源をスキップし、正しい信号源を迅速に選択することができる。また、信号源を選択する際に、カーソルのみを移動し、従来のように入力端子を逐次切り替える必要がないので、表示装置のリモート・コントロールのボタンの数を減少することができ、表示装置のリモート・コントロールが軽く、薄く、小さく、より使用しやすくなる。
【発明を実施するための最良の形態】
【００１６】
次に、添付した図面を参照しながら、本発明の好適な実施形態を詳細に説明する。
【００１７】
図２は、本発明の一実施形態に係る表示装置（例えば、デジタルテレビや投影機など）の信号源選択方法による選択メニューの構成図である。図２の選択メニュー２１０は、通常、OSDに表示され、図１の選択メニュー１０１と同じように十個の入力端子を有するものの、図２の選択メニュー２０１には、十個のウィンドウ（例えば、ウィンドウ２０２）が配置され、本実施形態の表示装置の十個の信号源の映像内容を表示する。識別しやすいために、選択メニュー２１０のウィンドウには、各信号源の名前も表示される。本発明において、信号源は、表示装置の入力端子であっても良く、図２に示すように、表示装置の受信できるチャネル（例えば、ケーブルテレビのチャネル）であっても良い。また、信号源からの映像信号の映像内容は、瞬間に取った静止画（即ち、スナップショット）であってもよく、リアルタイムに放送されている動画であってもよい。本実施形態において、選択メニュー２０１は、一つの画面で全ての信号源を表示し、各々のウィンドウは、一つの信号源からの映像信号の映像内容（図２には円形と三角形のアイコンで表示する）のみを表示する。
【００１８】
図２の選択メニュー２０１は、信号源からの映像信号の映像内容を表示するのみならず、信号源の状態も表示し、例えば、第二のHDMIは接続されていない状態や複合端子に信号がない状態などを表示する。本実施形態において、信号源の状態は、信号のある状態（正常に再生できる）、信号のない状態（信号が受信されてない）、接続されていない状態（対応する入力端子が接続されていない）、接続故障状態（入力装置から入力端子までの接続故障）、入力装置故障状態、及びオン／オフ状態（後に述べる）である。
【００１９】
ユーザは、幾つの方法で信号源を選択することができる。例えば、対応するボタンを押すことにより選択し、或いは、信号源に番号を付け、この番号を押すことにより選択し、または、カーソルを移動することにより選択する。これらの選択動作は、表示装置で行ってもよく、リモート・コントロールで行っても良い。カーソルを移動することにより信号源を選択する場合、本発明は、カーソルの移動方式を限定することがなく、例えば、一次元の前後移動の方式であってもよく、二次元の上下左右移動の方式であっても良い。
【００２０】
二次元移動の場合、通常、選択メニューのウィンドウはマトリックス状に配列される。カーソルをより迅速に移動させ、信号源をより迅速に選択するために、マトリックスの一番左側と一番右側とを隣接させ、一番上側と一番下側とを隣接させる。詳しく言えば、カーソルは、一列のウィンドウの一番左側のウィンドウに位置する場合、左に移動されると、同じ列のウィンドウの一番右側のウィンドウに移動する。カーソルは、一列のウィンドウの一番右側のウィンドウに位置する場合、右に移動されると、同じ列のウィンドウの一番左側のウィンドウに移動する。同様に、カーソルは、一列のウィンドウの一番上側のウィンドウに位置する場合、上に移動されると、同じ列のウィンドウの一番下側のウィンドウに移動する。カーソルは、一列のウィンドウの一番下側のウィンドウに位置する場合、下に移動されると、同じ列のウィンドウの一番上側のウィンドウに移動する。即ち、カーソルは、一列のウィンドウにおいて、スクロール機能を有する。
【００２１】
カーソル移動或いは逐次表示により信号源を選択する際、特定の状態にある信号源を自動的にスキップし、より迅速に選択することができる。例えば、ユーザは、必要のない信号源をオフ状態に設定すれば、選択するときに、この信号源を自動的にスキップできる。より一般的には、信号源の状態集合を設定し、この状態集合は、少なくとも前述の信号源の一つの状態を含み、選択するときに、この状態集合に含まれている状態の信号源は自動的にスキップされる。例えば、この状態集合に、信号のない状態と接続されていない状態が含まれる場合、選択するときに、信号のない状態と接続されていない状態の信号源は自動的にスキップされる。前述のオフ状態及び状態集合は、共に表示装置により設定されてもよく、リモート・コントロールにより設定されても良い。
【００２２】
続いて、図３を参照しながら、図２の実施形態に係る表示装置の信号源の選択方法の流れを説明する。まず、リモート・コントロール或いは表示装置にあるボタンを押すことにより選択メニューを起動し、ステップ３０１において、複数のウィンドウがこの選択メニューに配置される。次に、ステップ３０２において、各信号源からの映像信号の映像内容と信号源の状態が前述のウィンドウに表示される。その後、ステップ３０３において、カーソルを、ある信号源を表示するウィンドウに移動する。最後に、ステップ３０４において、カーソルが位置するウィンドウに表示される信号源を選択する。
【００２３】
本発明は前述の信号源の状態に限られなく、他の実施形態において、表示装置は信号源の状態を検出する機能を有すれば、選択メニューに信号源の更なる状態（例えば、ケーブルテレビ業者の設備状態や信号の品質状態など）を表示することができる。また、より多くの状態を自動スキップ状態に設定しても良い。
【００２４】
図２の選択メニューは、一つの表示区域で全ての信号源が表示されている。しかし、本発明はこれに限られない。他の実施形態において、選択メニューは複数の表示区域で全ての信号源を表示し、これらの表示区域は２層構造を形成する。この実施形態において、選択メニューの表示区域は、一つのメーン表示区域と複数のサブ表示区域を含み、さらに、各表示区域は、複数のウィンドウを有する。メーン表示区域の各ウィンドウは、それぞれサブ表示区域に対応し、また、対応するサブ表示区域における全ての信号源の映像内容を表示する。メーン表示区域の一つのウィンドウを選択すると、対応するサブ表示区域に進める。サブ表示区域の各々のウィンドウには、一つの信号源のみが表示され、選択するときに一つの信号源のみが選択される。
【００２５】
以上の２層構造は、多層にされても良く、即ち、前述のサブ表示区域から下位層にある表示区域に進められる。もちろん、一番下の層にある表示区域においては、選択されやすいために、ひとつのウィンドウが一つの信号源のみを表示する。また、上位層にある表示区域のウィンドウが如何に複数の信号からの映像信号の映像内容を表示するかは、例えば、ウィンドウを分割して、下位層にある表示区域の信号源からの映像信号の映像内容を同時に表示すること、或いは、時間を分割して、下位層にある表示区域の信号源からの映像信号の映像内容を表示することにより実現される。
【００２６】
以上の説明により、本発明は各信号源からの映像信号の映像内容と信号源の状態を複数のウィンドウで表示するので、ユーザは信号源を選択する前に映像内容をプレビューすることができ、また、選択するときに、特定の状態にある信号源をスキップし、正しい信号源を迅速に選択することができる。また、信号源を選択するときに、カーソルのみを移動し、信号源を逐次切り替える必要がないので、表示装置のリモート・コントロールのボタンの数を減少することができ、表示装置のリモート・コントロールが軽く、薄く、小さく、より使用しやすくなれる。
【００２７】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２８】
【図１】従来のテレビの信号源選択メニューの構成図である。
【図２】本発明の一実施形態に係る表示装置信号源の選択方法による選択メニューの構成図である。
【図３】本発明の一実施形態に係る表示装置信号源の選択方法の流れ図である。
【符号の説明】
【００２９】
１０１  信号源選択メニュー
１０２  カーソル
２０１  信号源選択メニュー
２０２  ウィンドウ
【図１】
2006293321.tif 000003
【図２】
2006293321.tif 000004
【図３】
2006293321.tif 000005